(57)【要約】【課題】直管形ＬＥＤランプを照明器具に確実に固定して、使用者による交換を不可能にすることにより、信頼性を確保する。【解決手段】直管形ＬＥＤランプ固定具１は、直管形ＬＥＤランプ１１０とランプソケット１２０との取付部に固定するものであって、取付部における直管形ＬＥＤランプ１１０の端部１１１及びランプソケット１２０の少なくとも一方に取り付けられて直管形ＬＥＤランプ１１０のランプソケット１２０からの取り外しのための移動を規制する固定具本体１０と、固定具本体１０に設けられ、固定具本体１０による取付部への取付状態を使用者が解除不能に固定するロック部２０ａ，２０ｂからなるロック機構２０とを備える。【選択図】図２
2014099335.tif 000002
【特許請求の範囲】
【請求項１】
直管形ＬＥＤランプとランプソケットとの取付部に固定されて前記直管形ＬＥＤランプの前記ランプソケットからの取り外しを防止するための直管形ＬＥＤランプ固定具であって、
前記取付部における前記直管形ＬＥＤランプの端部及び前記ランプソケットの少なくとも一方に取り付けられて前記直管形ＬＥＤランプの前記ランプソケットからの取り外しのための移動を規制する固定具本体と、
前記固定具本体に設けられ、該固定具本体による前記取付部への取付状態を使用者が解除不能に固定する固定手段と
を備えたことを特徴とする直管形ＬＥＤランプ固定具。
【請求項２】
前記固定具本体は、一部がヒンジ結合されて二つに分割可能な環状体からなり、
前記固定手段は、前記固定具本体の前記ヒンジ結合側とは反対側の端部にそれぞれ設けられた、一旦係合すると外せないワンウェイ係合構造の係合凸部及び係合凹部からなる
ことを特徴とする請求項１記載の直管形ＬＥＤランプ固定具。
【請求項３】
前記固定具本体は、一部が切り欠かれたＣ字形の環状体からなり、
前記固定手段は、前記固定具本体から前記ランプソケットに向かって延出し、前記ランプソケットの一部と係合する係合凸部からなり、
前記係合凸部は、前記ランプソケットの一部と共に、一旦係合すると外せないワンウェイ係合構造を備える
ことを特徴とする請求項１記載の直管形ＬＥＤランプ固定具。
【請求項４】
直管形ＬＥＤランプと、
この直管形ＬＥＤランプが取り付けられるランプソケットと、
前記直管形ＬＥＤランプと前記ランプソケットとの取付部に固定されて前記直管形ＬＥＤランプの前記ランプソケットからの取り外しを防止するための直管形ＬＥＤランプ固定具とを備えた照明装置であって、
前記直管形ＬＥＤランプ固定具は、
前記取付部における前記直管形ＬＥＤランプの端部及び前記ランプソケットの少なくとも一方に取り付けられて前記直管形ＬＥＤランプの前記ランプソケットからの取り外しのための移動を規制する固定具本体と、
前記固定具本体に設けられ、該固定具本体による前記取付部への取付状態を使用者が解除不能に固定する固定手段とを備えた
ことを特徴とする照明器具。
【請求項５】
前記固定手段は、一旦係合すると外せないワンウェイ係合構造の係合凸部及び係合凹部からなる
ことを特徴とする請求項４記載の照明器具。
【発明の詳細な説明】
【技術分野】
【０００１】
この発明は、直管形ＬＥＤランプをランプソケットに固定する直管形ＬＥＤランプ固定具及びこれを備えた照明器具に関する。
【背景技術】
【０００２】
近年、従来の蛍光灯に比べて低消費電力のＬＥＤランプが用いられるようになってきており、特に直管形のＬＥＤランプを蛍光灯の代替品として用いることも盛んに行われている。そして、この直管形ＬＥＤランプの落下防止や振動低減等を目的として、照明器具への種々の固定方式も提案されている（例えば、下記特許文献１〜３参照）。
【０００３】
これらのいずれの方式でも、直管形ＬＥＤランプを照明器具に対して確実に取り付けて固定することができると共に、直管形ＬＥＤランプを照明器具から容易に取り外して交換することが可能である。
【先行技術文献】
【特許文献】
【０００４】
【特許文献１】実用新案登録第３１６７９４２号公報
【特許文献２】特開２００４−１２７８８１号公報
【特許文献３】特開２００４−１５８４０３号公報
【発明の概要】
【発明が解決しようとする課題】
【０００５】
しかしながら、上記特許文献１〜３に開示された従来技術の固定方式では、直管形ＬＥＤランプを容易に取り外して交換することができる。しかし、直管形ＬＥＤランプを単に構造的に互換性がある従来の蛍光灯の代替品として取り替えて使用すると、たとえ口金が合っていたとしても照明器具と直管形ＬＥＤランプとの不適合が生じてしまう場合がある。
【０００６】
このような場合、使用者によって容易に直管形ＬＥＤランプの取り外し及び取り付けが出来ないようすることが望まれる。
【０００７】
この発明は、上述した従来技術による問題点を解消し、直管形ＬＥＤランプを照明器具に確実に固定して、使用者による交換を不可能にすることにより、信頼性を確保することができる直管形ＬＥＤランプ固定具及びこれを備えた照明器具を提供することを目的とする。
【課題を解決するための手段】
【０００８】
本発明に係る直管形ＬＥＤランプ固定具は、直管形ＬＥＤランプとランプソケットとの取付部に固定されて前記直管形ＬＥＤランプの前記ランプソケットからの取り外しを防止するための直管形ＬＥＤランプ固定具であって、前記取付部における前記直管形ＬＥＤランプの端部及び前記ランプソケットの少なくとも一方に取り付けられて前記直管形ＬＥＤランプの前記ランプソケットからの取り外しのための移動を規制する固定具本体と、前記固定具本体に設けられ、該固定具本体による前記取付部への取付状態を使用者が解除不能に固定する固定手段とを備えたことを特徴とする。
【０００９】
本発明の一実施形態においては、前記固定具本体は、一部がヒンジ結合されて二つに分割可能な環状体からなり、前記固定手段は、前記固定具本体の前記ヒンジ結合側とは反対側の端部にそれぞれ設けられた、一旦係合すると外せないワンウェイ係合構造の係合凸部及び係合凹部からなる。
【００１０】
本発明の他の実施形態においては、前記固定具本体は、一部が切り欠かれたＣ字形の環状体からなり、前記固定手段は、前記固定具本体から前記ランプソケットに向かって延出し、前記ランプソケットの一部と係合する係合凸部からなり、前記係合凸部は、一旦係合すると外せないワンウェイ係合構造を備える。
【００１１】
本発明に係る照明器具は、直管形ＬＥＤランプと、この直管形ＬＥＤランプが取り付けられるランプソケットと、前記直管形ＬＥＤランプと前記ランプソケットとの取付部に固定されて前記直管形ＬＥＤの前記ランプソケットからの取り外しを防止するための直管形ＬＥＤランプ固定具とを備えた照明装置であって、前記直管形ＬＥＤランプ固定具は、前記取付部における前記直管形ＬＥＤランプの端部及び前記ランプソケットの少なくとも一方に取り付けられて前記直管形ＬＥＤランプの前記ランプソケットからの取り外しのための移動を規制する固定具本体と、前記固定具本体に設けられ、該固定具本体による前記取付部への取付状態を使用者が解除不能に固定する固定手段とを備えたことを特徴とする。
【００１２】
本発明の一実施形態においては、前記固定手段は、一旦係合すると外せないワンウェイ係合構造の係合凸部及び係合凹部からなる。
【発明の効果】
【００１３】
本発明によれば、直管形ＬＥＤランプを照明器具に確実に固定して、使用者による交換を不可能にすることにより、信頼性を確保することができる。
【図面の簡単な説明】
【００１４】
【図１】本発明の第１の実施形態に係る直管形ＬＥＤランプ固定具を備えた照明器具を示す斜視図である。
【図２】同直管形ＬＥＤランプ固定具の取付態様を説明するための図である。
【図３】図２のＡ−Ａ’断面図である。
【図４】図３のＢ−Ｂ’断面図である。
【図５】本発明の第２の実施形態に係る直管形ＬＥＤランプ固定具の取付態様を説明するための図である。
【図６】図５のＣ−Ｃ’断面図である。
【図７】図６のＤ−Ｄ’断面図である。
【図８】本発明の第３の実施形態に係る直管形ＬＥＤランプ固定具の取付態様を説明するための図である。
【図９】図８のＥ−Ｅ’断面図である。
【図１０】図９のＦ−Ｆ’断面図である。
【図１１】本発明の第４の実施形態に係る直管形ＬＥＤランプ固定具を備えた照明器具を示す斜視図である。
【図１２】同直管形ＬＥＤランプ固定具の取付態様を説明するための図である。
【図１３】器具本体の一部を切り欠いた側面図である。
【図１４】図１３のＨ−Ｈ’断面図である。
【図１５】本発明の第５の実施形態に係る直管形ＬＥＤランプ固定具を備えた照明器具を示す斜視図である。
【図１６】同直管形ＬＥＤランプ固定具の取付態様を説明するための図である。
【図１７】器具本体の一部を切り欠いた側面図である。
【図１８】図１７のＪ−Ｊ’断面図である。
【発明を実施するための形態】
【００１５】
以下、添付の図面を参照して、この発明の実施の形態に係る直管形ＬＥＤランプ固定具及びこれを備えた照明器具を詳細に説明する。
【００１６】
図１は、本発明の第１の実施形態に係る直管形ＬＥＤランプ固定具を備えた照明器具を示す斜視図、図２は直管形ＬＥＤランプ固定具の取付態様を説明するための図である。また、図３は、図２のＡ−Ａ’断面図、図４は図３のＢ−Ｂ’断面図である。図１〜図４に示すように、照明器具１００は、逆台形状断面を有する長尺な器具本体１０１と、この器具本体１０１の下部に長手方向に沿って取り付けられた直管形ＬＥＤランプ１１０と、器具本体１０１の長手方向両端部側にそれぞれ突出するように設けられ、直管形ＬＥＤランプ１１０が取り付けられるランプソケット１２０と、直管形ＬＥＤランプ１１０をランプソケット１２０に取付固定するための直管形ＬＥＤランプ固定具（以下、「固定具」と呼ぶ。）１とを備えて構成されている。
【００１７】
ランプソケット１２０は、直管形ＬＥＤランプ１１０の両端部１１１と対向するようにそれぞれ設けられ、直管形ＬＥＤランプ１１０の各端部１１１に形成されたランプ端子１１１ａとランプソケット１２０の一部であるソケット部１２１とが接続されることで、例えば器具本体１０１に取り付けられている電源端子と直管形ＬＥＤランプ１１０に内蔵されている電源回路等とを接続する。
【００１８】
なお、本例では、ランプソケット１２０のソケット部１２１は、ランプソケット１２０に対して、取り付けられる直管形ＬＥＤランプ１１０の軸方向に進退自在な構造からなり、例えばバネなどの弾性体により、ランプソケット１２０側から突出する方向に常時付勢されている。
【００１９】
固定具１は、例えば耐熱温度が８０℃以上のポリカーボネートやポリアミド等を原料とする樹脂成形部材からなり、直管形ＬＥＤランプ１１０の端部１１１及びランプソケット１２０のソケット部１２１のうちの少なくとも一つの周囲を包囲する固定具本体１０を備える。そして、固定具本体１０は、直管形ＬＥＤランプ１１０とランプソケット１２０との取付部における端部１１１とソケット部１２１との取付状態を保持する。
【００２０】
なお、図示は省略するが、上述したように取付状態を保持するという観点から、固定具１は、例えば直管形ＬＥＤランプ１１０の端部１１１及びソケット部１２１を含むランプソケット１２０全体を一括して包囲するような形状で形成された固定具本体１０を備えていても良い。
【００２１】
固定具本体１０は、具体的には図４に示すように、例えば一部がヒンジ結合されて二つに分割可能な半円形状の環状体１１，１２からなる。各環状体１１，１２には、軽量化、放熱、樹脂材料削減等を図るための窓部１３がそれぞれ形成されている。また、各環状体１１，１２には、直管形ＬＥＤランプ１１０のランプ本体１１２と端部１１１との段差部分の端部１１１の外周を押さえるように嵌まるリブ１４が形成されている。固定具本体１０の上記軸方向の長さは、同方向のソケット部１２１の長さと直管形ＬＥＤランプ１１０の端部１１１の長さとを足した長さにほぼ等しく設定されている。
【００２２】
また、固定具１は、固定具本体１０のヒンジ結合部分と反対側の端部にそれぞれ設けられた、固定具本体１０による上記取付部の保持状態を解けないように固定するロック機構２０を備える。ロック機構２０は、ロック部２０ａ，２０ｂからなり、例えば一旦係合すると外せないワンウェイ係合構造を備えており、固定具本体１０が環状となった状態を固定ロックする。
【００２３】
ロック機構２０は、係合時の外観上は二分割可能な矩形状部材で構成され、ロック部２０ａのロック部２０ｂへの対向面２０ａａには、対向面２０ａａから突出する嵌合凸部２４が形成されている。また、ロック部２０ｂのロック部２０ａへの対向面２０ｂｂ側には、嵌合凸部２４が嵌まる形状に凹んだ嵌合凹部２３が開口している。
【００２４】
そして、この嵌合凹部２３内には、嵌合凸部２４に形成された凹部２２に係合する係合片２１が形成されており、ロック部２０ａ，２０ｂが互いに完全係合したときに係合片２１の係合先端爪２１ａが凹部２２の先端壁２２ａの内側面に引っ掛かり、嵌合凸部２４と嵌合凹部２３とが引っ掛かった部分を外部から遮断するように完全嵌合する。これにより、ロック部２０ａ，２０ｂでの上記ワンウェイ係合構造が実現される。
【００２５】
このように構成された固定具１は、次のように取り付けられる。すなわち、器具本体１０１に直管形ＬＥＤランプ１１０を取り付けた後に、図２中矢印で示すように環状体１１，１２が開いた状態の固定具１を上記取付部に下方から当接させる。そして、環状体１１，１２を、ロック部２０ａ，２０ｂ同士が互いの対向面２０ａａ，２０ｂｂが当接するように閉じる。
【００２６】
これにより、ロック部２０ａ，２０ｂ同士が互いに係合固定されてロック機構２０がロック状態となるので、固定具１を破壊する以外は固定具本体１０の環状体１１，１２を開くことができなくなる。また、このとき、図３に示すように、固定具本体１０のリブ１４が上記段差部分のランプ本体側の端面に当接すると共に、固定具本体１０のリブ１４形成側と反対側の端部がランプソケット１２０のソケット部１２１側の端面と当接する。そして、固定具本体１０がソケット部１２１及び端部１１１を包み込む状態で装着される。
【００２７】
このように、第１の実施形態に係る固定具１により、直管形ＬＥＤランプ１１０をランプの軸方向に動かすことができない状態で、ランプソケット１２０に確実に固定し、この取付状態を保持することができると共に、併せて直管形ＬＥＤランプ１１０のランプソケット１２０からの落下を防止することが可能となる。従って、照明器具１００の信頼性を確保することができる。
【００２８】
図５は、本発明の第２の実施形態に係る直管形ＬＥＤランプ固定具の取付態様を説明するための図である。また、図６は、図５のＣ−Ｃ’断面図、図７は図６のＤ−Ｄ’断面図である。なお、以降において、既に説明した部分と重複する箇所には同一の符号を附して説明を割愛する
【００２９】
図５〜図７に示すように、第２の実施形態に係る固定具１Ａは、固定具本体１０及びロック機構２０を有する点は第１の実施形態に係る固定具１と同様であるが、この固定具１Ａが取り付けられるランプソケット１２０の構造及び取付態様が第１の実施形態とは相違している。
【００３０】
すなわち、図５に示すように、ランプソケット１２０のソケット部１２１には、このソケット部１２１から更に上記軸方向に突出する長円筒形状の接続ソケット部１２２が形成されている。接続ソケット部１２２は、軸方向に進退自在な構造からなり、例えばバネなどの弾性体によって、ソケット部１２１側から突出する方向に常時付勢されている。また、接続ソケット部１２２の直管形ＬＥＤランプ１１０側の端面には、ランプ端子１１１ａが挿入接続される挿入孔１２２ａが形成されている。
【００３１】
固定具１Ａの固定具本体１０の環状体１１，１２は、接続ソケット部１２２の外形に合わせたＵ字形状でそれぞれ形成され、固定具本体１０の上記軸方向の長さは、同方向の接続ソケット部１２２の長さほぼ等しく設定されている。各環状体１１，１２は、その内側に上記リブ１４は設けられていない構造を備えている。ロック機構２０は、嵌合凸部２４及び嵌合凹部２３の形状が先の実施形態のものとは多少異なるが、ロック部２０ａ，２０ｂを備えて構成され、同様の機能を有し、第１の実施形態のものと同じ作用効果を奏するものである。
【００３２】
このように構成された固定具１Ａは、図６に示すように、固定具本体１０が接続ソケット部１２２全体を包み込む状態で装着される。そして、固定具本体１０の軸方向の端部が、それぞれランプソケット１２０の接続ソケット部１２２側の端面及び直管形ＬＥＤランプ１１０の端部１１１のランプ端子１１１ａ側の端面と当接する。
【００３３】
従って、第２の実施形態に係る固定具１Ａによっても、直管形ＬＥＤランプ１１０をランプの軸方向に動かすことができない状態で、ランプソケット１２０に確実に固定し、この取付状態を保持することができ、併せて落下を防止することができるので、照明器具１００の信頼性を確保することが可能となる。
【００３４】
図８は、本発明の第３の実施形態に係る直管形ＬＥＤランプ固定具の取付態様を説明するための図である。また、図９は、図８のＥ−Ｅ’断面図、図１０は図９のＦ−Ｆ’断面図である。図８〜図１０に示すように、第３の実施形態に係る固定具１Ｂは、固定具本体１０及びロック機構２０を有する点は第１の実施形態に係る固定具１と同様であるが、この固定具１Ｂの一部の構造と、固定具１Ｂが取り付けられるランプソケット１２０の構造及び取付態様とが第１の実施形態とは相違している。
【００３５】
すなわち、図８に示すように、ランプソケット１２０は、直管形ＬＥＤランプ１１０の取付側の端面に露出する円筒状の回転接続ソケット部１２３を内蔵した構造からなり、ランプソケット１２０の下方及び上記端面に開口するスリット１２０ａを備えてなる。このスリット１２０ａは、回転接続ソケット部１２３の回転位置によっては、図示のように回転接続ソケット部１２３に形成されたスリット状のランプ端子挿入部１２３ａと連通するスリットを構成する。
【００３６】
一方、固定具１Ｂは、上記固定具１と同様に環状体１１，１２やロック機構２０を備えるが、本例では、更に環状体１２のリブ１４形成側と反対側の端部に複数形成された、ランプソケット１２０の上面１２０ｂと、この上面１２０ｂから続く側面１２０ｃとにぴったりと嵌まる形状の嵌合片２６を備えている。この嵌合片２６も、ロック機構２０と共に固定具本体１０による上記取付部の保持状態を解けないように固定する固定手段を構成する。
【００３７】
直管形ＬＥＤランプ１１０をランプソケット１２０に取り付けるに際しては、まず、直管形ＬＥＤランプ１１０のランプ端子１１１ａをスリット１２０ａを介して下方からランプソケット１２０の回転接続ソケット部１２３のランプ端子挿入部１２３ａに挿入する。そして、回転接続ソケット部１２３を例えば９０°回転させることにより、ランプ端子１１１ａが内部の電源端子と接続された状態で直管形ＬＥＤランプ１１０を器具本体１０１に取り付ける。
【００３８】
その後、固定具１Ｂの固定具本体１０の環状体１２を、嵌合片２６が上面１２０ｂ及び側面１２０ｃに嵌まるようにランプソケット１２０に取り付ける。そして、環状体１１をロック部２０ａがロック部２０ｂに当接するように閉じることにより、直管形ＬＥＤランプ１１０がランプソケット１２０に確実に固定される。
【００３９】
このように構成された固定具１Ｂは、図９に示すように、固定具本体１０が直管形ＬＥＤランプ１１０の端部１１１全体を包み込む状態で装着される。そして、固定具本体１０の軸方向の端部が、それぞれソケット部１２０の回転接続ソケット部１２３側の端面及び直管形ＬＥＤランプ１１０のランプ本体の端部１１１側の端面と当接する。また、固定具本体１０のリブ１４が直管形ＬＥＤランプ１１０の端部１１１の外周部に当接する。
【００４０】
従って、第３の実施形態に係る固定具１Ｂによっても、直管形ＬＥＤランプ１１０をランプの軸方向に動かすことができない状態で、ランプソケット１２０に確実に固定し、この取付状態を保持することができ、併せて落下を防止することが可能となる。これにより、照明器具１００の信頼性を確保することができる。
【００４１】
図１１は、本発明の第４の実施形態に係る直管形ＬＥＤランプ固定具を備えた照明器具を示す斜視図、図１２は直管形ＬＥＤランプ固定具の取付態様を説明するための図である。また、図１３は、器具本体の一部を切り欠いた側面図、図１４は図１３のＨ−Ｈ’断面図である。図１１〜図１４に示すように、第４の実施形態に係る固定具１Ｃ及びこれを備えた照明器具１００は、上述した各実施形態に係るものと同様の作用効果を奏するが、次のような相違点を備えている。
【００４２】
まず、照明器具１００の器具本体１０２は、上記器具本体１０１とは一部が異なる構造を備えて形成されている。具体的には、器具本体１０２には、直管形ＬＥＤランプ１１０を収容する凹状のランプ収容部１０３を備え、このランプ収容部１０３の凹状空間内に直管形ＬＥＤランプ１１０が収容された状態で取り付けられる。ランプ収容部１０３の直管形ＬＥＤランプ１１０の軸方向端面には、それぞれランプソケット１２０が設けられている。
【００４３】
一方、固定具１Ｃは、一部が切り欠かれたＣ字形の環状体１５からなる固定具本体１０を備える。この固定具本体１０は、ランプソケット１２０に取り付けられた直管形ＬＥＤランプ１１０の端部１１１の下方から、環状体１５の切り欠かれた部分を上向きにして嵌合され、端部１１１に取り付けられる。
【００４４】
上述したロック機構２０と同様の作用効果を奏する本実施形態に係るロック機構は、固定具本体１０の切り欠かれた部分の近傍に、ランプソケット１２０の上面１２０ｂ及びこの上面１２０ｂから続く側面１２０ｃに嵌まるようにそれぞれ延出形成されたロック片２７ａ，２７ｂと、ランプソケット１２０の下部に嵌まるように延出形成されたロック片２７ｃと、ランプソケット１２０の上面１２０ｂに形成されたロック溝１２０ｂｂと、ランプソケット１２０のスリット１２０ａとから構成されている。
【００４５】
更に、ロック片２７ａ，２７ｂの上面１２０ｂと接する面には、それぞれロック溝１２０ｂｂに係合する爪部２７ａａ，２７ｂｂが形成され、ロック片２７ｃのランプソケット１２０の下部と接する面には、スリット１２０ａに嵌合する爪部２７ｃｃが形成されている。
【００４６】
このように構成された固定具１Ｃは、図１３に示すように、ロック片２７ａ，２７ｂがランプソケット１２０の上部に嵌まり、ロック片２７ｃがランプソケット１２０の下部に嵌まる。また、固定具本体１０が直管形ＬＥＤランプ１１０の端部１１１の外周を切り欠かれた部分を除いてほぼ包み込む状態で装着される。
【００４７】
ロック片２７ａ〜２７ｃは、上述したように各爪部２７ａａ〜２７ｃｃが溝部１２０ｂｂ及びスリット１２０ａに嵌合するので、ランプソケット１２０にロックされる。また、固定具本体１０は、その軸方向の直管形ＬＥＤランプ１１０側の端部が、上述した段差部分のランプ本体側の端面に切り欠かれた部分を除いてほぼ全周にわたって当接する。
【００４８】
これにより、第４の実施形態に係る固定具１Ｃ及びランプソケット１２０によっても、直管形ＬＥＤランプ１１０をランプの軸方向に動かすことができない状態で、ランプソケット１２０に確実に固定し、この取付状態を保持することができる。なお、器具本体１０２のランプ収容部１０３は、直管形ＬＥＤランプ１１０を取り付けた場合に、ランプソケット１２０の上部及びその周辺の空間は、指などを自在に動かすことができない程度の非常に狭い空間となるように設計されている。
【００４９】
従って、特にロック片２７ａ，２７ｂとランプソケット１２０とのロック状態を解除することは非常に難しく、第４の実施形態に係る照明器具１００では、このような構造を総合的に組み合わせることによって、上述したようなワンウェイ係合構造が実現されている。
【００５０】
図１５は、本発明の第５の実施形態に係る直管形ＬＥＤランプ固定具を備えた照明器具を示す斜視図、図１６は直管形ＬＥＤランプ固定具の取付態様を説明するための図である。また、図１７は、器具本体の一部を切り欠いた側面図、図１８は図１７のＪ−Ｊ’断面図である。図１５〜図１８に示すように、第５の実施形態に係る固定具１Ｄ及びこれを備えた照明器具１００は、第４の実施形態に係るものと同様の構造及び作用効果を奏するが、以下の点で相違している。
【００５１】
まず、照明器具１００の器具本体１０４は、上記器具本体１０２とは、ランプソケット１２０周りの構造が相違している。具体的には、ランプソケット１２０は、ランプ収容部１０３において、上記軸方向に面する器具本体１０４の壁面に設けられた凹状空間からなるソケット収容部１２９内に、ソケット収容部１２９の周壁面との間に隙間部を形成する状態で配置されている。
【００５２】
また、器具本体１０４の下方には、ランプソケット１２０への直管形ＬＥＤランプ１１０の取付時に、ランプ端子１１１ａをソケット収容部１２９内のランプソケット１２０へ通すためのソケット収容部１２９に連通するスリット１０４ａが形成されている。ランプソケット１２０は、第４の実施形態において説明したランプソケット１２０とロック溝１２０ｂｂを除いてほぼ同様の構造を備えている。
【００５３】
一方、固定具１Ｄは、上記環状体１５と同様のＣ字形の環状体１６からなる固定具本体１０を備える。この固定具本体１０は、取付に際して、まず、ランプソケット１２０に取り付けられた直管形ＬＥＤランプ１１０のランプ本体の下方から、環状体１６の切り欠かれた部分を上向きにして嵌合され、直管形ＬＥＤランプ１１０のランプ本体の端部１１１寄りに取り付けられる。
【００５４】
ロック機構は、固定具本体１０自体と、上記ロック片２７ａ〜２７ｃと同様に固定具本体１０から延出形成された係合片２８ａ，２８ｂ，２８ｃと、ランプソケット１２０の外周部と、ソケット収容部１２９における上記隙間部とにより構成されている。係合片２８ａ〜２８ｃには、上述したような爪部２７ａａ〜２７ｃｃは形成されておらず、よりシンプルな構造となっている。
【００５５】
このように構成された固定具１Ｄは、図１６に示すように、直管形ＬＥＤランプ１１０のランプ本体に固定具本体１０を取り付けた後に、これを上記軸方向にスライド移動させて係合片２８ａ〜２８ｃをソケット収容部１２９内の隙間部に挿入する。隙間部は、係合片２８ａ〜２８ｃを挿入可能な範囲で、できるだけ狭い隙間となるように形成されている。これにより、係合片２８ａ，２８ｂがランプソケット１２０の側面にそれぞれ嵌まり、係合片２８ｃがランプソケット１２０の下部に嵌合する。
【００５６】
このとき、固定具本体１０は、固定具１Ｃのときと同様に、直管形ＬＥＤランプ１１０の端部１１１の外周に、上記切り欠かれた部分を除いてほぼ包み込む状態で嵌合する。そして、その軸方向の直管形ＬＥＤランプ１１０側の端部が、上述した段差部分のランプ本体側の端面に切り欠かれた部分を除いてほぼ全周にわたって当接する。従って、係合片２８ａ〜２８ｃによりランプソケット１２０が係合保持され、固定具本体１０により直管形ＬＥＤランプ１１０の端部１１１が係合保持される。
【００５７】
このように、第５の実施形態に係る固定具１Ｄ及びランプソケット１２０並びにソケット収容部１２９により、直管形ＬＥＤランプ１１０をランプの軸方向に動かすことができない状態で、ランプソケット１２０に確実に固定し、この取付状態を保持することが可能である。
【００５８】
なお、器具本体１０４のソケット収容部１２９は、直管形ＬＥＤランプ１１０を取り付けた場合に、隙間部等に指などを自在に挿入して動かすことができず、且つ固定具本体１０を広げようとしても係合片２８ａ〜２８ｃが周壁面に当接して変形できないような寸法で設計されている。
【００５９】
従って、各係合片２８ａ〜２８ｃとランプソケット１２０との係合状態を解除することは非常に難しく、固定具本体１０を広げられないので固定具本体１０をランプ本体側へスライド移動させて固定具１Ｄを取り外すことは困難な構造となっている。第５の実施形態に係る照明器具１００では、このような構造を総合的に組み合わせることによって、上述したようなワンウェイ係合構造が実現されている。
【００６０】
以上述べたように、上述した実施形態に係る固定具及び照明器具によれば、直管形ＬＥＤランプ１１０を器具本体に確実に固定して保持し、容易に取り外すことが困難となるように確実にロックすることができるので、人為的な影響によるランプの脱落等の不具合を防止して、器具やランプの品質等の信頼性を長期にわたって確保することが可能となる。
【符号の説明】
【００６１】
１，１Ａ，１Ｂ，１Ｃ，１Ｄ  直管形ＬＥＤランプ固定具（固定具）
１０                        固定具本体
１１，１２，１５，１６      環状体
１３                        窓部
１４                        リブ
２０                        ロック機構
２０ａ，２０ｂ              ロック部
２０ａａ，２０ｂｂ          対向面
２１                        係合片
２１ａ                      係合先端爪
２２                        凹部
２２ａ                      先端壁
２３                        嵌合凹部
２４                        嵌合凸部
２６                        嵌合片
２７ａ，２７ｂ，２７ｃ      ロック片
２８ａ，２８ｂ，２８ｃ      係合片
１００                      照明器具
１０１，１０２，１０４      器具本体
１１０                      直管形ＬＥＤランプ
１１１                      端部
１１１ａ                    ランプ端子
１１２                      ランプ本体
１２０                      ランプソケット
１２１                      ソケット部
１２２                      接続ソケット部
１２３                      回転接続ソケット部
【図１】
2014099335.tif 000003
【図２】
2014099335.tif 000004
【図３】
2014099335.tif 000005
【図４】
2014099335.tif 000006
【図５】
2014099335.tif 000007
【図６】
2014099335.tif 000008
【図７】
2014099335.tif 000009
【図８】
2014099335.tif 000010
【図９】
2014099335.tif 000011
【図１０】
2014099335.tif 000012
【図１１】
2014099335.tif 000013
【図１２】
2014099335.tif 000014
【図１３】
2014099335.tif 000015
【図１４】
2014099335.tif 000016
【図１５】
2014099335.tif 000017
【図１６】
2014099335.tif 000018
【図１７】
2014099335.tif 000019
【図１８】
2014099335.tif 000020